(57)【要約】【課題】自転車に乗る人の下肢部に雨及び日差しが当たるのを防ぐ自転車用膝カバー装置を提供する。【解決手段】略水平展開状に後方へ引き出され自転車に乗る人の膝部Ｈから大腿部Ｄに掛かる雨水を遮断する天幕状カバー布体１と、略鉛直垂下状に下方へ引き出され自転車に乗る人の下腿部Ｋに掛かる雨水を遮断する垂幕状カバー布体２とを、互いに連動して巻取引出可能として、一本の巻取芯部材３に、二重巻取り状態で巻設する。【選択図】図１
2010083316.tif 000002
【特許請求の範囲】
【請求項１】
略水平展開状に後方へ引き出され自転車（Ｓ）に乗る人の膝部（Ｈ）から大腿部（Ｄ）に掛かる雨水を遮断する天幕状カバー布体（１）と、略鉛直垂下状に下方へ引き出され自転車（Ｓ）に乗る人の下腿部（Ｋ）に掛かる雨水を遮断する垂幕状カバー布体（２）とを、互いに連動して巻取引出可能として、一本の巻取芯部材（３）に、二重巻取り状態で巻設したことを特徴とする自転車用膝カバー装置。
【請求項２】
略水平展開状に後方へ引き出され自転車（Ｓ）に乗る人の膝部（Ｈ）から大腿部（Ｄ）に掛かる雨水を遮断する天幕状カバー布体（１）と、略鉛直垂下状に下方へ引き出され自転車（Ｓ）に乗る人の下腿部（Ｋ）に掛かる雨水を遮断する垂幕状カバー布体（２）とを、互いに連動して巻取引出可能として、一本の巻取芯部材（３）に、二重巻取り状態で巻設し、さらに、上記自転車（Ｓ）のハンドルポスト（Ｓ0 ）に、間接的又は直接的に取付けられると共に上記巻取芯部材（３）を水平状第１軸心（Ｌ0 ）廻りに回転可能に枢支する枢支フレーム部材（12）を有し、かつ、上記天幕状カバー布体（１）を展開使用状態で掛止する掛止部（13）を有する張設フレーム部材（10）を上記枢支フレーム部材（12）に取付け、そして、上記垂幕状カバー布体（２）が後方へ振れるのを防止する吊設フレーム部材（11）を上記枢支フレーム部材（12）に取付けたことを特徴とする自転車用膝カバー装置。
【請求項３】
上記天幕状カバー布体（１）及び上記垂幕状カバー布体（２）は、紫外線遮断部材から成る請求項１又は２記載の自転車用膝カバー装置。
【請求項４】
上記天幕状カバー布体（１）は、後端縁部に、屈曲可能かつ常時弾発復元力によって直線状姿勢に保持される密着コイル状の天幕支持棒（14）を有する請求項１，２又は３記載の自転車用膝カバー装置。
【請求項５】
上記垂幕状カバー布体（２）は、下端縁部に、屈曲可能かつ常時弾発復元力によって直線状姿勢に保持される密着コイル状の垂幕支持棒（15）を有する請求項１，２，３又は４記載の自転車用膝カバー装置。
【請求項６】
上記垂幕状カバー布体（２）は、下端縁部の中央に、切欠部（16）を有する請求項１，２，３，４又は５記載の自転車用膝カバー装置。
【請求項７】
上記垂幕状カバー布体（２）は、該垂幕状カバー布体（２）を伝って落ちる雨水を受ける樋（17）を下端縁部に有する請求項１，２，３，４，５又は６記載の自転車用膝カバー装置。
【請求項８】
上記巻取芯部材（３）は、上記天幕状カバー布体（１）及び上記垂幕状カバー布体（２）が巻取される方向に、常時弾発付勢する弾発部材（４）を備えている請求項１，２，３，４，５，６又は７記載の自転車用膝カバー装置。
【請求項９】
上記張設フレーム部材（10）と上記吊設フレーム部材（11）は、上記枢支フレーム部材（12）に、水平状第２軸心（Ｌ1 ）廻りに所定の摩擦抵抗をもって、各々独立して揺動可能に枢着されている請求項２，３，４，５，６，７又は８記載の自転車用膝カバー装置。
【請求項１０】
上記枢支フレーム部材（12）は、差込部材（５）が垂設され、自転車（Ｓ）のハンドルポスト（Ｓ0 ）に取着されるポスト取着具（７）の差込孔部（６）に、上記差込部材（５）を上方から差込んで、着脱可能に取付けられる請求項２，３，４，５，６，７，８又は９記載の自転車用膝カバー装置。
【請求項１１】
上記ポスト取着具（７）は、上記ハンドルポスト（Ｓ0 ）のポスト軸心（Ｌ2 ）に対して、揺動可能に遊嵌されている請求項10記載の自転車用膝カバー装置。
【請求項１２】
上記ポスト取着具（７）は、上記ハンドルポスト（Ｓ0 ）に外嵌状に取付けられる本体部（８）と、上記ポスト軸心（Ｌ2 ）に直交する直交軸心（Ｌ3 ）廻りに揺動自在として上記本体部（８）に連結されるホルダー部（９）と、を有する請求項10又は11記載の自転車用膝カバー装置。
【発明の詳細な説明】
【技術分野】
【０００１】
本発明は、自転車用膝カバー装置に関する。
【背景技術】
【０００２】
自転車に乗車走行中に、雨除けや日除けのために片手で傘をさして、もう一方の手でハンドルを握って自転車を運転することは大変危険と考えられる。従来、傘を手に持ちながら運転しなくて済むように、特許文献１のような傘を雨除けや日除け可能な状態で自転車に固定する自転車用傘支持具が提案されている。
【特許文献１】特開2005-324751 号公報
【発明の開示】
【発明が解決しようとする課題】
【０００３】
しかし、従来のような自転車傘支持具では、人が持ち歩く目的で開発された傘を支持具を使用して自転車に固定するため、自転車に乗る人の上半身にかかる雨水を遮断することに優れているが、自転車に乗る人の下肢部にかかる雨水を遮断できないという問題があった。
【０００４】
そこで、本発明は、自転車に乗る人の下肢部に雨が当たるのを防ぐ自転車用膝カバー装置の提供を目的とする。
【課題を解決するための手段】
【０００５】
上記目的を達成するために、本発明の自転車用膝カバー装置は、略水平展開状に後方へ引き出され自転車に乗る人の膝部から大腿部に掛かる雨水を遮断する天幕状カバー布体と、略鉛直垂下状に下方へ引き出され自転車に乗る人の下腿部に掛かる雨水を遮断する垂幕状カバー布体とを、互いに連動して巻取引出可能として、一本の巻取芯部材に、二重巻取り状態で巻設したものである。
【０００６】
また、略水平展開状に後方へ引き出され自転車に乗る人の膝部から大腿部に掛かる雨水を遮断する天幕状カバー布体と、略鉛直垂下状に下方へ引き出され自転車に乗る人の下腿部に掛かる雨水を遮断する垂幕状カバー布体とを、互いに連動して巻取引出可能として、一本の巻取芯部材に、二重巻取り状態で巻設し、さらに、上記自転車のハンドルポストに、間接的又は直接的に取付けられると共に上記巻取芯部材を水平状第１軸心廻りに回転可能に枢支する枢支フレーム部材を有し、かつ、上記天幕状カバー布体を展開使用状態で掛止する掛止部を有する張設フレーム部材を上記枢支フレーム部材に取付け、そして、上記垂幕状カバー布体が後方へ振れるのを防止する吊設フレーム部材を上記枢支フレーム部材に取付けたものである。
【０００７】
また、上記天幕状カバー布体及び上記垂幕状カバー布体は、紫外線遮断部材から成るものである。
また、上記天幕状カバー布体は、後端縁部に、屈曲可能かつ常時弾発復元力によって直線状姿勢に保持される密着コイル状の天幕支持棒を有するものである。
【０００８】
また、上記垂幕状カバー布体は、下端縁部に、屈曲可能かつ常時弾発復元力によって直線状姿勢に保持される密着コイル状の垂幕支持棒を有するものである。
また、上記垂幕状カバー布体は、下端縁部の中央に、切欠部を有するものである。
また、上記垂幕状カバー布体は、該垂幕状カバー布体を伝って落ちる雨水を受ける樋を下端縁部に有するものである。
【０００９】
また、上記巻取芯部材は、上記天幕状カバー布体及び上記垂幕状カバー布体が巻取される方向に、常時弾発付勢する弾発部材を備えているものである。
【００１０】
また、上記張設フレーム部材と上記吊設フレーム部材は、上記枢支フレーム部材に、水平状第２軸心廻りに所定の摩擦抵抗をもって、各々独立して揺動可能に枢着されているものである。
また、上記枢支フレーム部材は、差込部材が垂設され、自転車のハンドルポストに取着されるポスト取着具の差込孔部に、上記差込部材を上方から差込んで、着脱可能に取付けられるものである。
【００１１】
また、上記ポスト取着具は、上記ハンドルポストのポスト軸心に対して、揺動可能に遊嵌されているものである。
また、上記ポスト取着具は、上記ハンドルポストに外嵌状に取付けられる本体部と、上記ポスト軸心に直交する直交軸心廻りに揺動自在として上記本体部に連結されるホルダー部とを、有するものである。
【発明の効果】
【００１２】
本発明の自転車用膝カバー装置によれば、自転車での走行中に、前方から受ける雨水を、天幕状カバー布体と、垂幕状カバー布体と、によって上面及び前面の両方を包囲状として、確実に遮断することができる。
また、天幕状カバー布体と、垂幕状カバー布体と、を互いに連動して巻取及び引出されるので、展開・巻取の操作が容易かつ迅速にできる。特に、自転車に乗ったままで簡単に操作可能である。
【発明を実施するための最良の形態】
【００１３】
以下、実施の形態を示す図面に基づき本発明を詳説する。
図１は本発明の自転車用膝カバー装置の実施の一形態を示す側面図であり、図２はその正面図であり、図３はその平面図である。
本発明の自転車用膝カバー装置は、自転車Ｓに乗る人の膝部Ｈから大腿部Ｄに掛かる雨水を遮断する天幕状カバー布体１と、自転車Ｓに乗る人の下腿部Ｋに掛かる雨水を遮断する垂幕状カバー布体２と、天幕状カバー布体１及び垂幕状カバー布体２を同軸状に巻設する巻取芯部材３と、自転車ＳのハンドルポストＳ0 に巻取芯部材３を取付ける枢支フレーム部材12とを、具備している。
【００１４】
天幕状カバー布体１は、雨水・紫外線等を透過させない部材で構成されている。また、天幕状カバー布体１は、後端縁部に、天幕支持棒14を有し、具体的には天幕状カバー布体１の後端縁部にて天幕支持棒14を巻設して取着している。天幕状カバー布体１は、左右方向の横幅寸法をＴ1 とする。
【００１５】
垂幕状カバー布体２は、雨水・紫外線等を透過させない部材で構成されている。また、垂幕状カバー布体２は、下端縁部に、垂幕支持棒15，15を有し、具体的には垂幕状カバー布体２の下端縁部にて垂幕支持棒15，15を巻設して取着している。下端縁部の前面側に、垂幕状カバー布体２を伝って落ちる雨水を受け、左右方向に逃がす樋17，17を有している。下端縁部中央に、自転車ＳのシャフトＳ1 を股いで通す切欠部16を有している。垂幕状カバー布体２は、左右方向の横幅寸法をＴ2 とする。
樋17，17は、可撓性を有し、半円筒状に形成されている。樋17，17は、垂幕状カバー布体２の左右方向に沿うように付設される。
切欠部16は、左右方向の横幅寸法Ｃ1 が20mm〜40mmで、上下方向の長さ寸法Ｃ2 が80mm〜100mm で形成されている。上端部は、半円形状を有している。
【００１６】
巻取芯部材３は、円筒形状を有し、天幕状カバー布体１と、垂幕状カバー布体２とを、二重に重ねて巻設している。巻取芯部材３は、天幕状カバー布体１及び垂幕状カバー布体２が巻取される回転方向Ｎに常時弾発付勢するねじりコイルばね式の弾発部材４を内有している。
【００１７】
枢支フレーム部材12は、巻取芯部材３を両端側から水平状第１軸心Ｌ0 廻りに回転可能に枢支する一対の支持軸12ａ，12ａを有している。一方の支持軸12ａは、先端に係合凹溝12ｂを有し、弾発部材４に挿通されている。
また、枢支フレーム部材12は、後方に、張設フレーム部材10と、吊設フレーム部材11とを、水平状第２軸心Ｌ1 廻りの回転運動に対する摩擦抵抗をもって、各々独立して揺動可能として枢着している。また、枢支フレーム部材12は、差込部材５を鉛直下方状に左右中央部位から突設し、ハンドルポストＳ0 に取付けられるポスト取着具７の差込孔部６に上方から着脱可能に差込まれる。
【００１８】
張設フレーム部材10は、Ｕ字状に形成され、後端部に、天幕状カバー布体１を展開使用状態で掛止する掛止部13を有している。前端部に、水平状第２軸心Ｌ1 に直交する円形二平面を有する円盤状の枢着部10ａを有している。張設フレーム部材10の左右方向の最大横幅寸法をＴ10とする。張設フレーム部材10の最大横幅寸法Ｔ10は、天幕状カバー布体１の横幅寸法Ｔ1 に比較し50％〜70％の大きさに設定されている。
掛止部13は、上方突起状に突設され、上端部は球体形状を有している。
【００１９】
吊設フレーム部材11は、フラスコ形状に形成され、下端部に、自転車ＳのシャフトＳ1 を股いで通す凹状の湾曲部18を有している。湾曲部18は、図１に示すように側面から見て、後方側に10°〜30°の角度βで傾斜している。上端部に、水平状第２軸心Ｌ1 に直交する円形二平面を有する円盤状の枢着部11ａを有している。吊設フレーム部材11の最大横幅寸法Ｔ11は、垂幕状カバー布体２の横幅寸法Ｔ2 よりも僅かに小さく設定されている。
【００２０】
図６に示すように、天幕支持棒14及び垂幕支持棒15は、両端部に球体を有し、常に密着しようとする弾発力を有する直線状コイルにて主要部が構成されている。長い寸法を有する天幕支持棒14は、望ましくは、中央部位に短寸の芯杆を挿入して、中央部位のみが弯曲しないように、補強する（図示省略）。
【００２１】
図８に示すように、弾発部材４は、基端から中間にわたって大径のコイル状に形成されており、コイルの先端はしだいに縮径して小径とされ、その先端に係合凹溝12ｂと係合する係合部４ａを有している。また、コイルの基端は、嵌入部４ｂの内端から孔部に圧入されている。嵌入部４ｂは、巻取芯部材３に嵌入される。
【００２２】
図11に示すように、ポスト取着具７は、ポスト軸心Ｌ2 廻りに揺動可能として自転車ＳのハンドルポストＳ0 に、外嵌状に遊嵌する本体部８と、ポスト軸心Ｌ2 に直交する直交軸心Ｌ3 廻りに90度揺動自在として本体部８に連結されるホルダー部９とを、有している。ホルダー部９は、上方開口状に平面視一文字状の差込孔部６を有している。
【００２３】
上述した本発明の自転車用膝カバー装置の使用方法（作用）について説明する。
図４は本発明の自転車用膝カバー装置の展開状態での使用例を示した前方斜視図であり、図５はその後方斜視図である。
先ず、自転車Ｓに本発明の自転車用膝カバー装置を装着し、雨天時に自転車Ｓを走行させる場合に於て、天幕状カバー布体１は、自転車Ｓに乗る人によって、前方から後方へ引き出され、張設フレーム部材10に設けられた掛止部13に掛止される。この状態を展開使用状態と呼ぶ。巻取芯部材３に内設された弾発部材４によって巻取方向に常時弾発付勢され、天幕状カバー布体１は、張架した状態を保持する。自転車Ｓに乗る人の大腿部Ｄから膝部Ｈを覆い隠すようにして展開した天幕状カバー布体１は、自転車Ｓに乗る人の大腿部Ｄから膝部Ｈに降る雨水を遮断する。
【００２４】
このとき、垂幕状カバー布体２は、天幕状カバー布体１の引き出しに連動して下方へ引き出され、展開使用状態を保持する。鉛直状に垂下され、さらに、吊設フレーム部材11によって、風等で後方側に流されることのないように保持される。自転車Ｓに乗る人の下腿部Ｋを覆い隠すようにして展開した垂幕状カバー布体２は、自転車Ｓに乗る人の下腿部Ｋに降る雨水を遮断する。
そして、垂幕状カバー布体２の前面に降り注いだ雨水は、垂幕状カバー布体２を伝って、下方に流れ落ち、樋17，17によって左右方向に逃がされ、下腿部Ｋが濡れない。
【００２５】
また、走行中の自転車が方向転換を行う為にハンドル操作を行った場合に於て、ポスト取着具７は、自転車ＳのハンドルポストＳ0 に、遊嵌されており、自転車Ｓのハンドル操作に連動して回転するハンドルポストＳ0 に対して、ポスト取着具７はハンドル操作とは独立した姿勢を保持する。具体的には、ハンドル操作によってハンドルポストＳ0 と連動した自転車Ｓの車輪が方向を変えた場合であっても、本発明の自転車用膝カバー装置は方向を変えず、同じ姿勢を維持し、自転車Ｓに乗る人の大腿部Ｄから下腿部Ｋにかかる雨水を遮断し続ける。
【００２６】
次に、本発明の自転車用膝カバー装置が、自転車走行中や乗り降りの際に大腿部Ｄ，膝部Ｈや障害物等に接触した場合に於て、図７に示すように、天幕支持棒14は、通常状態では直線状姿勢を維持しているが、外力に対して、一時的に屈曲し、その後、弾発力によって直線状姿勢に復元する。垂幕支持棒15も同様の作用を有する。
【００２７】
図９に示すように、弾発部材４と枢支フレーム部材12は互いに係合している。
弾発部材４は、係合凹溝12ｂと係合する係合部４ａを支点とし、巻取芯部材３に固着された嵌入部４ｂを作用点として、巻取芯部材３に対して常時巻取回転方向に付勢する弾発力を作用させる。
【００２８】
そして、本発明の自転車用膝カバー装置が展開使用状態から巻取される場合に於て、図10は、その巻取の状態を示した説明用側面図である。
図10（Ａ）に示すように、展開使用状態では、天幕状カバー布体１と、垂幕状カバー布体２とは、互いに連動して展開している。この際、天幕状カバー布体１の展開長さ寸法ＷA と垂幕状カバー布体２の展開長さ寸法ＨA とは、相等しい。
次に図10（Ｂ）のように、天幕状カバー布体１を、掛止部13から外し、弾発部材４の弾発回転力を利用して天幕状カバー布体１を前方へ巻取する。垂幕状カバー布体２は、巻取芯部材３の回転に連動して上方に巻取される。この際、天幕状カバー布体１の引出長さ寸法ＷB と垂幕状カバー布体２の引出長さ寸法ＨB とは、相等しい。
次に図10（Ｃ）のように、天幕状カバー布体１と、垂幕状カバー布体２とを、巻取芯部材３に接するまで巻取された状態では、天幕状カバー布体１の収納長さ寸法ＷC と垂幕状カバー布体２の収納長さ寸法ＨC とは、相等しい。
このように、天幕状カバー布体１と、垂幕状カバー布体２とは、常に巻取芯部材３の回転運動に連動して展開・巻取を行う。
【００２９】
図11は、ポスト取着具の説明用正面図である。
ポスト取着具７のホルダー部９を、直交軸心Ｌ3 廻りに90度回転することで、差込孔部６を、90度の角度変化が可能である。
次に、図12に示すように、天幕状カバー布体１と、垂幕状カバー布体２と、巻取芯部材３に接するまで巻き取ると共に、張設フレーム部材10と、吊設フレーム部材11と、をハンドルポストＳ0 側に接近させた状態で、ホルダー部９を90度回転操作する。このとき、ホルダー部９に取付けられた枢支フレーム部材12は、一体に連結した他の部材を伴って、90度だけ角度が変更される。
【００３０】
なお、本発明の天幕状カバー布体１は、上面部に文字加工を施すことが可能であり、例えば、『安全運転』『ひったくり注意！』などの表示をすることで、運転者に注意を促すものであってよい。
【００３１】
以上のように、本発明の自転車用膝カバー装置は、略水平展開状に後方へ引き出され自転車Ｓに乗る人の膝部Ｈから大腿部Ｄに掛かる雨水を遮断する天幕状カバー布体１と、略鉛直垂下状に下方へ引き出され自転車Ｓに乗る人の下腿部Ｋに掛かる雨水を遮断する垂幕状カバー布体２とを、互いに連動して巻取引出可能として、一本の巻取芯部材３に、二重巻取り状態で巻設しているので、自転車での走行中に於て、前方から受ける雨水を、天幕状カバー布体１と、垂幕状カバー布体２と、によって確実に遮断することができる。
また、天幕状カバー布体１と、垂幕状カバー布体２と、を互いに連動して巻取及び引出されるので、操作が容易かつ迅速にできる。特に、自転車に乗ったままで簡単に操作可能である。
【００３２】
また、略水平展開状に後方へ引き出され自転車Ｓに乗る人の膝部Ｈから大腿部Ｄに掛かる雨水を遮断する天幕状カバー布体１と、略鉛直垂下状に下方へ引き出され自転車Ｓに乗る人の下腿部Ｋに掛かる雨水を遮断する垂幕状カバー布体２とを、互いに連動して巻取引出可能として、一本の巻取芯部材３に、二重巻取り状態で巻設し、さらに、上記自転車ＳのハンドルポストＳ0 に、間接的又は直接的に取付けられると共に巻取芯部材３を水平状第１軸心Ｌ0 廻りに回転可能に枢支する枢支フレーム部材12を有し、かつ、天幕状カバー布体１を展開使用状態で掛止する掛止部13を有する張設フレーム部材10を枢支フレーム部材12に取付け、そして、垂幕状カバー布体２が後方へ振れるのを防止する吊設フレーム部材11を枢支フレーム部材12に取付けたので、前方から受ける雨水を、天幕状カバー布体１と、垂幕状カバー布体２と、によって確実に遮断することができる。
また、天幕状カバー布体１と、垂幕状カバー布体２と、を互いに連動して巻取及び引出されるので、操作が容易かつ迅速にできる。特に、自転車に乗ったままで簡単に操作可能である。
また、天幕状カバー布体１及び垂幕状カバー布体２は簡単に展開姿勢を維持できる。
【００３３】
また、天幕状カバー布体１及び垂幕状カバー布体２は、紫外線遮断部材から成るので、前方から受ける紫外線を、天幕状カバー布体１と、垂幕状カバー布体２と、によって確実に遮断することができる。
【００３４】
また、天幕状カバー布体１は、後端縁部に、屈曲可能かつ常時弾発復元力によって直線状姿勢に保持される密着コイル状の天幕支持棒14を有するので、身体に当たった際に、弾性変形しつつ逃げるので安全上好ましい。
また、天幕状カバー布体１及び天幕支持棒14が、大腿部Ｄや膝部Ｈ等に接触した場合に於て、装置の破損を防ぐことができ、身体もケガをしないで済む。
【００３５】
また、垂幕状カバー布体２は、下端縁部に、屈曲可能かつ常時弾発復元力によって直線状姿勢に保持される密着コイル状の垂幕支持棒15を有するので、身体に当たった際に、弾性変形しつつ逃げるので安全上好ましい。
また、垂幕状カバー布体２及び垂幕支持棒15が、膝部Ｈや下腿部Ｋ等に接触した場合に於て、装置の破損を防ぐことができ、身体もケガをしないで済む。
【００３６】
また、垂幕状カバー布体２は、下端縁部の中央に、切欠部16を有するので、自転車ＳのシャフトＳ1 と干渉することなく展開できる。
また、垂幕状カバー布体２は、垂幕状カバー布体２を伝って落ちる雨水を受ける樋17を下端縁部に有するので、垂幕状カバー布体２の前面に降り注いだ雨水は、垂幕状カバー布体２を伝って、下方に流れ落ち、樋17によって左右方向に逃がすことができ、下腿部Ｋを濡らさない。
【００３７】
また、巻取芯部材３は、天幕状カバー布体１及び垂幕状カバー布体２が巻取される方向に、常時弾発付勢する弾発部材４を備えているので、天幕状カバー布体１及び垂幕状カバー布体２は簡単に展開姿勢を維持できる。
【００３８】
また、張設フレーム部材10と吊設フレーム部材11は、枢支フレーム部材12に、水平状第２軸心Ｌ1 廻りに所定の摩擦抵抗をもって、各々独立して揺動可能に枢着されているので、天幕状カバー布体１及び垂幕状カバー布体２は簡単に、その角度の調節が可能である。。
【００３９】
また、枢支フレーム部材12は、差込部材５が垂設され、自転車ＳのハンドルポストＳ0 に取着されるポスト取着具７の差込孔部６に、差込部材５を上方から差込んで、着脱可能に取付けられるので、晴れの時には取外しが可能であり、雨のときには、迅速・容易に取付けできて、至便である。
【００４０】
また、ポスト取着具７は、ハンドルポストＳ0 のポスト軸心Ｌ2 に対して、揺動可能に遊嵌されているので、天幕状カバー布体１及び垂幕状カバー布体２は、ハンドル操作に関係なく、姿勢を維持し、確実に雨水を遮断することができる。
また、ポスト取着具７は、ハンドルポストＳ0 に外嵌状に取付けられる本体部８と、ポスト軸心Ｌ2 に直交する直交軸心Ｌ3 廻りに揺動自在として本体部８に連結されるホルダー部９と、を有するので、枢支フレーム部材12は、角度を変向して、折畳状態（図12参照）とすることができる。
【図面の簡単な説明】
【００４１】
【図１】本発明の自転車用膝カバー装置の実施の一形態を示す側面図である。
【図２】正面図である。
【図３】平面図である。
【図４】本発明の自転車用膝カバー装置の展開状態での使用例を示した前方斜視図である。
【図５】使用例を示した後方斜視図である。
【図６】天幕支持棒14及び垂幕支持棒15を示した正面図である。
【図７】要部説明用斜視図である。
【図８】弾発部材４を示した斜視図である。
【図９】弾発部材４と枢支フレーム部材12の相互関係状態を示した断面平面図である。
【図１０】本発明の自転車用膝カバー装置が巻取される経緯を示した説明用側面図である。
【図１１】ポスト取着具の説明用正面図である。
【図１２】本発明の実施の一形態を示す後方斜視図である。
【符号の説明】
【００４２】
１  天幕状カバー布体
２  垂幕状カバー布体
３  巻取芯部材
４  弾発部材
５  差込部材
６  差込孔部
７  ポスト取着具
８  本体部
９  ホルダー部
10  張設フレーム部材
11  吊設フレーム部材
12  枢支フレーム部材
13  掛止部
14  天幕支持棒
15  垂幕支持棒
16  切欠部
17  樋
18  湾曲部
Ｓ  自転車
Ｓ0 ハンドルポスト
Ｓ1 シャフト
Ｄ  大腿部
Ｈ  膝部
Ｋ  下腿部
Ｌ0 水平状第１軸心
Ｌ1 水平状第２軸心
Ｌ2 ポスト軸心
Ｌ3 直交軸心
【図１】
2010083316.tif 000003
【図２】
2010083316.tif 000004
【図３】
2010083316.tif 000005
【図４】
2010083316.tif 000006
【図５】
2010083316.tif 000007
【図６】
2010083316.tif 000008
【図７】
2010083316.tif 000009
【図８】
2010083316.tif 000010
【図９】
2010083316.tif 000011
【図１０】
2010083316.tif 000012
【図１１】
2010083316.tif 000013
【図１２】
2010083316.tif 000014